(57)【要約】音声データと静止画データとを混在させ且つ再生順序を指定した再生リストを１つ作成し、この再生リストにおける音声データと静止画データとの変化点を利用して音声データと静止画データとをグループ化することにより関連付けを持たせ、同一グループ内の音声データ及び静止画データの再生を同時に行う。【特許請求の範囲】
【請求項１】
記録媒体に記録された静止画データ及び音声データを所定の再生順序でそれぞれ再生するプログラムリスト再生方法であって、
前記静止画データと音声データとが混在した状態でその再生順序を指定した再生リストを作成する手順と、
前記再生リストの先頭から順に静止画データを抽出して静止画再生リストを作成する一方、該再生リストの先頭から順に音声データを抽出して音声再生リストを作成する手順と、
前記静止画再生リスト及び前記音声再生リストに基づく前記静止画データ及び音声データを非同期で再生する手順とを備えたことを特徴とするプログラムリスト再生方法。
【請求項２】
請求項１に記載されたプログラムリスト再生方法において、
前記静止画再生リスト又は前記音声再生リストのうち一方の再生リストが再生終了したときに、他方の再生リストが再生終了するまでの間、前記一方の再生リストの先頭からデータの再生を再開する手順をさらに備えたことを特徴とするプログラムリスト再生方法。
【請求項３】
記録媒体に記録された静止画データ及び音声データを所定の再生順序でそれぞれ再生するプログラムリスト再生方法であって、
前記静止画データと音声データとが混在した状態でその再生順序を指定した再生リストを作成する手順と、
前記再生リストにおいて静止画データ又は音声データのうち何れか一方から他方へと変化する時点を変化点として検出し、この変化点に基づいて該静止画データと音声データとをグループ化する手順と、
前記グループ化された静止画データ及び音声データのうち、同一グループ内にある静止画データ及び音声データを同時に再生する手順とを備えたことを特徴とするプログラムリスト再生方法。
【請求項４】
請求項３に記載されたプログラムリスト再生方法において、
前記グループ化された静止画データ及び音声データに関する基本情報に基づいて該静止画データの再生時間を設定する手順をさらに備えていることを特徴とするプログラムリスト再生方法。
【請求項５】
請求項３に記載されたプログラムリスト再生方法において、
前記グループ化された静止画データ及び音声データのうち、同一グループ内にある音声データの合計再生時間を算出する手順と、
前記同一グループ内にある静止画データの個数をカウントする手順と、
前記算出された音声データの合計再生時間を前記静止画データの個数で除算した値を該静止画データの再生時間として設定する手順とをさらに備えたことを特徴とするプログラムリスト再生方法。
【請求項６】
請求項３に記載されたプログラムリスト再生方法を用いて静止画データ及び音声データのグループ化が行われたときに、表示画面上に当該グループを表示する手順を備えたことを特徴とするプログラムリスト表示方法。
【請求項７】
請求項３に記載されたプログラムリスト再生方法において、
前記記録媒体には、動画データがさらに記録されており、
前記動画データのみを単独で１グループとしてグループ化する手順をさらに備えたことを特徴とするプログラムリスト再生方法。
【請求項８】
請求項７に記載されたプログラムリスト再生方法において、
前記動画データに音声が含まれているかを判断する手順と、
前記判断結果に基づいて、音声有り動画データを単独で１グループとしてグループ化する一方、音声無し動画データを静止画データと同じ分類としてグループ化する手順とをさらに備えたことを特徴とするプログラムリスト再生方法。
【請求項９】
請求項３に記載されたプログラムリスト再生方法において、
前記記録媒体に記録されている静止画データ及び音声データをその記録順に再生リストとして読み込む手順をさらに備えたことを特徴とするプログラムリスト再生方法。
【請求項１０】
請求項３に記載されたプログラムリスト再生方法において、
前記記録媒体に記録されている静止画データ及び音声データを名前順に並べ替えたリストを再生リストとして読み込む手順をさらに備えたことを特徴とするプログラムリスト再生方法。
【発明の詳細な説明】
【技術分野】
【０００１】  本発明は、記録媒体に記録された音声データ及び静止画データを同時に再生制御するための再生方法に関し、特に記録媒体に記録した音声データ及び静止画データの再生順序を指定する再生リストを作成することで音声データ及び静止画データの再生順序を決定する方法に関するものである。
【背景技術】
【０００２】  近年、民生の再生機器で再生する音声データや静止画データを記録した記録媒体は、専用の記録機器によって記録した記録媒体だけでなく、パソコンで記録した記録媒体をも再生対象とするようになってきている。【０００３】  例えば、パソコンを用いてＣＤ−Ｒ／ＲＷ、ＤＶＤ−Ｒ／ＲＷ／ＲＡＭ等の記録媒体にＭＰ３等の音声ファイルやＪＰＥＧ等の静止画ファイルを記録し、ＤＶＤプレーヤ等の再生装置でこれら音声ファイルや静止画ファイルを再生することが可能である。【０００４】  これらの再生装置では、通常再生だけではなくリピート、ランダム、プログラム等の再生機能が一般的に準備されており、音声データ及び静止画データ各々の再生に対して利用可能である。【０００５】  以下、音声データ及び静止画データを再生するための再生装置について説明する。図１は音声静止画再生装置を示しており、１１は記録媒体、１２は記録媒体データ読み取り装置、１３はデータ再生装置、１４は制御装置、１５はデータ格納装置である。なお、図中の実線で描かれた矢印はデータの流れを示し、点線の矢印は制御の流れを示すものとする。【０００６】  次に、上述のように構成された再生装置で音声データ及び静止画データを再生するための従来のプログラムリスト再生方法について説明する。【０００７】  前記記録媒体１１には音声データ及び静止画データが記録されており、前記記録媒体データ読み取り装置１２にて音声データ及び静止画データの基本情報を読み出し、データ格納装置１５の音声静止画基本情報格納領域に保存する。この基本情報には、データ名、データの種類、アドレス、容量の情報が含まれる。【０００８】  ユーザーは、前記基本情報のデータ名を確認しながら再生する順番にデータを並べて音声再生リストを作成し、データ格納装置１５の再生リスト格納領域に保存する。また、同様に静止画再生リストを作成してデータ格納装置１５の再生リスト格納領域に保存する。【０００９】  そして、作成された再生リスト中の音声データを再生するときには、リストの先頭から順に音声データを再生していき、リストの最後の音声データまで再生する。また、作成された再生リスト中の静止画データを再生するときには、リストの先頭から順に静止画データを表示する。このとき、各静止画は静止画再生時間格納領域に格納している再生時間だけ画面上に表示するようにしている。【００１０】  また、音声と静止画との再生順序が予め設定された状態で記録された記録媒体を前記音声静止画再生装置で再生する場合には、図２に示すように記録媒体２１に対して再生リストが記録されており、この再生リストをデータ格納装置１５の再生リスト格納領域に保存して、制御装置１４でこの再生リストに従って音声データ及び静止画データを再生制御するようにしている。【００１１】  図３は再生リストの一例であり、音声データの再生順を示すリストと、静止画データの表示順、静止画データの表示開始タイミング及び表示終了タイミング等の静止画データと音声データとの関連付け情報を示すリストとから構成されている。【００１２】  ここで、図３に示す再生リストを再生装置で再生した場合、図４に示すように音声は音声再生リスト順に再生され、静止画は音声と��ンクした開始タイミング又は静止画の表示順に従って表示が開始される。そして、音声とリンクした終了タイミング又は静止画再生時間格納領域に保存している再生時間に基づいて表示が終了される。【００１３】  このような再生リストと関連付け情報を持った再生方法としては、ＤＶＤ−Ａｕｄｉｏの静止画再生時のプレイリストによる再生方法が該当する（例えば、特許文献１参照）。【００１４】  具体的に、図１４は、図１３に示す再生リストを再生した場合の再生順の一例を示す図である。図１４に示す例では、図１３に示す再生リストにおいて静止画データと音声データとが混在した状態になっているが、この静止画データ音声データを区別することなく順番通りに再生するようにしている。【００１５】  また、図１５は、図１３に示す再生リストを再生した場合の再生順の他の一例を示す図である。図１５に示す例では、静止画データの再生から音声データの再生に切り替わるタイミングで静止画データの表示消去を行わないようにしている。
【特許文献１】特開２０００−３３３１２６号公報
【発明の開示】
【発明が解決しようとする課題】
【００１６】  しかしながら、従来の音声データ及び静止画データを同時再生する方法では、音声データ及び静止画データを同時に再生する再生リストを作成するために、再生開始タイミングや再生時間等の音声データと静止画データとの関連付け情報を再生リストに付加する必要がある。再生リストにおいてこのような関連付け情報が予め準備されていない場合には、ユーザーがこれらの関連付け情報を指定する必要がある。【００１７】  しかし、音声データと静止画データとを関連付けした再生リストを作成することは複雑で手間のかかる作業であり、ユーザーにとって負担となっていた。また、一般に流通している再生装置では、音声データ又は静止画データのどちらか一方のみの再生リストしか作成できない機種が多いという問題がある。【００１８】  本発明は、かかる点に鑑みてなされたものであり、その目的とするところは、音声データと静止画データとの関連付け情報をユーザーが付加することを不要とし、ユーザーが作成した音声データと静止画データとを指定した再生リストから音声データと静止画データとの関連付けを持った再生を行うための再生制御方法を提供することにある。
【課題を解決するための手段】
【００１９】  前記目的を達成するため、本発明では、音声データ及び静止画データの２つのプログラムリストを１つのリストとして、音声データ及び静止画データの順序によって音声データと静止画データとの関連付けを持たせることにより音声データと静止画データとの同時再生を実現するようにした。【００２０】  本発明は、記録媒体に記録された静止画データ及び音声データを所定の再生順序でそれぞれ再生するプログラムリスト再生方法であって、
前記静止画データと音声データとが混在した状態でその再生順序を指定した再生リストを作成する手順と、
前記再生リストの先頭から順に静止画データを抽出して静止画再生リストを作成する一方、該再生リストの先頭から順に音声データを抽出して音声再生リストを作成する手順と、
前記静止画再生リスト及び前記音声再生リストに基づく前記静止画データ及び音声データを非同期で再生する手順とを備えたことを特徴とするプログラムリスト再生方法である。【００２１】  従って、本発明によれば、音声と静止画を同時に再生するための再生時間や再生開始タイミング等の情報が不要となる。【００２２】  また、本発明は、前記静止画再生リスト又は前記音声再生リストのうち一方の再生リストが再生終了したときに、他方の再生リストが再生終了するまでの間、前記一方の再生リストの先頭からデータの再生を再開する手順をさらに備えたことを特徴とするものであってもよい。【００２３】  従って、本発明によれば、音声と静止画を同時に再生するための関連付け情報が不要となる。【００２４】  また、本発明は、記録媒体に記録された静止画データ及び音声データを所定の再生順序でそれぞれ再生するプログラムリスト再生方法であって、
前記静止画データと音声データとが混在した状態でその再生順序を指定した再生リストを作成する手順と、
前記再生リストにおいて静止画データ又は音声データのうち何れか一方から他方へと変化する時点を変化点として検出し、この変化点に基づいて該静止画データと音声データとをグループ化する手順と、
前記グループ化された静止画データ及び音声データのうち、同一グループ内にある静止画データ及び音声データを同時に再生する手順とを備えたことを特徴とするプログラムリスト再生方法である。【００２５】  従って、本発明によれば、音声と静止画を同時に再生するための関連付け情報が不要となる。【００２６】  また、本発明は、前記グループ化された静止画データ及び音声データに関する基本情報に基づいて該静止画データの再生時間を設定する手順をさらに備えていることを特徴とするものであってもよい。【００２７】  従って、本発明によれば、再生時間や再生開始タイミングをユーザーが指定しなくてもよくなる。【００２８】  また、本発明は、前記グループ化された静止画データ及び音声データのうち、同一グループ内にある音声データの合計再生時間を算出する手順と、
前記同一グループ内にある静止画データの個数をカウントする手順と、
前記算出された音声データの合計再生時間を前記静止画データの個数で除算した値を該静止画データの再生時間として設定する手順とをさらに備えたことを特徴とするものであってもよい。【００２９】  従って、本発明によれば、再生時間や再生開始タイミングをユーザーが指定しなくてもよくなる。【００３０】  また、本発明は、前記プログラムリスト再生方法を用いて静止画データ及び音声データのグループ化が行われたときに、表示画面上に当該グループを表示する手順を備えたことを特徴とするプログラムリスト表示方法である。【００３１】  従って、本発明によれば、ユーザーが時間のかかる複雑な関連付け情報の指定を行う必要がなく、音声と静止画との関連付けがユーザーに瞬時に理解可能となる。【００３２】  また、本発明は、前記記録媒体には、動画データがさらに記録されており、前記動画データのみを単独で１グループとしてグループ化する手順をさらに備えたことを特徴とするプログラムリスト再生方法である。【００３３】  従って、本発明によれば、静止画データ、音声データ及び動画データを混在させたプログラムリストを作成することができ、静止画データと音声データ、又は動画データと音声データを同時に再生させるための関連付け情報が不要となる。【００３４】  また、本発明は、前記動画データに音声が含まれているかを判断する手順と、
前記判断結果に基づいて、音声有り動画データを単独で１グループとしてグループ化する一方、音声無し動画データを静止画データと同じ分類としてグループ化する手順とをさらに備えたことを特徴とするものであってもよい。【００３５】  従って、本発明によれば、静止画データ、音声データ、及び動画データを混在させたプログラムリストを作成することができ、静止画データと音声データ、音声無し動画データと音声データを同時に再生させるための関連付け情報が不要となる。【００３６】  また、本発明は、前記記録媒体に記録されている静止画データ及び音声データをその記録順に再生リストとして読み込む手順をさらに備えたことを特徴とするものであってもよい。【００３７】  従って、本発明によれば、ユーザーが予めプログラムリストを想定してデータ順を決定して記録媒体にデータを記録しておけば、プログラムリスト作成処理を必要とせずにプログラム再生をすることが可能となる。【００３８】  また、本発明は、前記記録媒体に記録されている静止画データ及び音声データを名前順に並べ替えたリストを再生リストとして読み込む手順をさらに備えたことを特徴とするものであってもよい。【００３９】  従って、本発明によれば、ユーザーが予めプログラムリストを想定してデータ名を付けて記録媒体にデータを記録しておけば、プログラムリスト作成処理を必要とせずにプログラム再生をすることが可能となる。
【発明の効果】
【００４０】  本発明の音声データと静止画データのプログラムリスト再生方法によれば、１つの再生リストを作成するだけで静止画と音声との関連付けを持たせた再生が可能となり、プログラムリスト再生の操作性が向上するという効果が得られる。
【図面の簡単な説明】
【００４１】
【図１】図１は、音声データ及び静止画データを再生する再生装置の構成図である。
【図２】図２は、音声データ、静止画データ及び再生リストが記録された記録媒体を示す図である。
【図３】図３は、従来の音声データ及び静止画データの再生リスト例である。
【図４】図４は、従来の音声データ及び静止画データの再生リストを再生したときの再生例である。
【図５】図５は、本発明の実施形態１における音声データ及び静止画データの再生リスト例である。
【図６】図６は、本実施形態１における音声データ及び静止画データの再生例である。
【図７】図７は、本実施形態１における音声データ及び静止画データの再生例である。
【図８】図８は、本実施形態２における音声データ及び静止画データの再生リスト例である。
【図９】図９は、本実施形態２における音声データ及び静止画データの再生例である。
【図１０】図１０は、再生リストの作成手順を示すフローチャート図である。
【図１１】図１１は、再生リスト作成画面である。
【図１２】図１２は、本実施形態３における音声データ及び静止画データの再生例である。
【図１３】図１３は、従来の音声データ及び静止画データの再生リスト例である。
【図１４】図１４は、従来の音声データ及び静止画データの再生リストを再生したときの再生例である。
【図１５】図１５は、従来の音声データ及び静止画データの再生リストを再生したときの他の再生例である。
【図１６】図１６は、動画データの判別処理を含んだ再生リストの作成手順を示すフローチャート図である。
【図１７】図１７は、本実施形態４における動画データを含んだ再生リスト及びそのグループ化の例である。
【図１８】図１８は、本実施形態４における動画データを含んだ再生リストの再生例である。
【図１９】図１９は、音声有り又は音声無し動画データの判別処理を含んだ再生リストの作成手順を示すフローチャート図である。
【図２０】図２０は、本実施形態５における動画データを含んだ再生リスト及びそのグループ化の例である。
【図２１】図２１は、本実施形態５における動画データを含んだ再生リストの再生例である。
【図２２】図２２は、本実施形態５における動画データを含んだ再生リストの他の再生例である。
【図２３】図２３は、本実施形態６において再生リストを読み込んでグループ化した例である。
【図２４】図２４は、本実施形態６における再生リストを読み込んでグループ化した他の例である。
【符号の説明】
【００４２】  １１  記録媒体
１２  記録媒体データ読み取り装置
１３  データ再生装置
１４  制御装置
１５  データ格納装置
【発明を実施するための最良の形態】
【００４３】  以下、本発明の実施形態を図面に基づいて詳細に説明する。以下の好ましい実施形態の説明は、本質的に例示に過ぎず、本発明、その適用物或いはその用途を制限することを意図するものでは全くない。【００４４】  ＜実施形態１＞
図５は、本発明の実施形態１に係るプログラムリスト再生方法により再生するための音声及び静止画データの再生リストである。このような再生リストの作成及び再生は、図１に示すような音声静止画再生装置で行うものとする。【００４５】  まず、記録媒体１１に記録されている音声データ及び静止画データをプログラムリスト再生する場合、ユーザーは、記録媒体１１に記録されている複数の音声データ及び静止画データの中から再生対象とする音声データ及び静止画データをリモコン操作によって選択する。【００４６】  前記選択された音声データ及び静止画データは、選択指定した順に再生リストに追加される。再生リストの作成が完了した後、ユーザーの指示により再生リストの再生を開始する。【００４７】  図５に示すように、再生リストの音声及び静止画は、音声のみのリスト又は静止画のみのリストとして非同期に再生される。この場合における再生順序を図６に示す。なお、静止画の再生時間はデータ格納装置１５（図１参照）に保存されている静止画再生時間に基づいて設定されるものとする。【００４８】  ここで、音声又は静止画のうちどちらか一方が先に再生リスト（図６の例では静止画）の再生を完了した場合には、図７に示すように、他方の再生リスト（図６の例では音声）の再生が完了するまでの間、再生完了した静止画の再生リストの先頭から再生を再開するようにしている。そして、再生が完了していなかった音声の再生リストの再生が完了したときに全ての再生を停止する。【００４９】  以上のように、本実施形態１に係るプログラムリスト再生方法によれば、音声と静止画を同時に再生するための再生時間や再生開始タイミング等の情報が不要となり、ユーザーの負担が軽減される。【００５０】  ＜実施形態２＞
次に、本発明の実施形態２に係るプログラムリスト再生方法について説明する。本実施形態２では、ユーザーがリモコン操作によって音声データ及び静止画データを選択して再生リストに順番に追加した後、再生リストにおける音声データと静止画データとの変化点を利用して音声データ及び静止画データのグループ化を行う点に特徴がある。以下、この特徴部分について説明する。【００５１】  図１０は、再生リストの作成及びグループ化の方法を示すフローチャート図である。図１０に示すように、ステップＳ１００１で、ユーザーにより再生リストへの追加又は再生リスト作成終了等のリスト操作が行われたかを判定する。ステップＳ１００１での判定が「ＹＥＳ」の場合には、ステップＳ１００２に分岐し、ステップＳ１００１での判定が「ＮＯ」の場合には、ユーザーによるリスト操作が行われるまで待機する。【００５２】  ステップＳ１００２で、再生リストに追加するデータがあるかを判定する。ステップＳ１００２での判定が「ＹＥＳ」の場合には、ユーザーによる操作が再生リスト追加であると判定してステップＳ１００３に分岐する。ステップＳ１００２での判定が「ＮＯ」の場合には、ユーザーによる操作が再生リスト作成の終了であると判定してステップＳ１００７に分岐する。【００５３】  ステップＳ１００３で、再生リストにグループ化されていないデータが存在するかを判定する。ステップＳ１００３での判定が「ＹＥＳ」の場合には、ステップＳ１００４に分岐する。ステップＳ１００３での判定が「ＮＯ」の場合には、ステップＳ１００１へ戻る。【００５４】  ステップＳ１００４で、再生リスト内のグループ化されていないデータの先頭データと同じ種類のデータであるかを判定する。ステップＳ１００４での判定が「ＹＥＳ」の場合には、ステップＳ１００５に分岐する。ステップＳ１００４での判定が「ＮＯ」の場合には、ステップＳ１００１へ戻る。【００５５】  ステップＳ１００５で、追加されたデータの１つ前のデータが異なる種類のデータであるかを判定する。ステップＳ１００５での判定が「ＹＥＳ」の場合には、その時点をデータの変化点とみなしてステップＳ１００６に分岐し、ステップＳ１００６でグループを確定し、表示画面にグループが確定したことを表す表示を行う。ステップＳ１００５での判定が「ＮＯ」の場合には、ステップＳ１００５での判定が「ＮＯ」の場合には、ステップＳ１００１へ戻る。【００５６】  ステップ１００７で、リストにグループ化されていないデータが存在するかを判定する。ステップＳ１００７での判定が「ＹＥＳ」の場合には、ステップＳ１００８に分岐して、ステップＳ１００８でグループを確定し、表示画面にグループが確定したことを表す表示を行い、ステップＳ１００９へ進む。ステップＳ１００７での判定が「ＮＯ」の場合には、ステップＳ１００９に分岐する。そして、ステップＳ１００９で、リストを確定したことを示す表示を画面上に表示する。【００５７】  図１１は、グループが確定したことを表す表示例である。選択対象データから静止画Ｂを追加することによって、すでに再生リストに追加されている静止画Ａと音声Ａがグループ化され再生リストを表示している表示領域内に、グループ化された���ータを表示するグループ表示領域が生成され、そのグループ表示領域中にグループ化されたデータが表示される（図８参照）。【００５８】  図８は再生リストの一例を示しており、図９はこの再生リストを再生するときの再生順序を示している。なお、静止画の再生時間はデータ格納装置１５（図１参照）に保存されている静止画再生時間に基づいて設定される。【００５９】  このような再生リストにおける同一グループ内の音声及び静止画の再生は、音声又は静止画のどちらか一方が先に再生リスト（図９の例では静止画）の再生を完了した場合、他方の再生リスト（図９の例では音声）の再生が完了するまでの間、静止画の再生リストの先頭から再生を再開する。そして、再生が完了していなかった音声の再生リストの再生が完了したときに次のグループの再生を行う。次のグループがない場合には再生を終了する。【００６０】  以上のように、本実施形態２に係るプログラムリスト再生方法によれば、ユーザーが時間のかかる複雑な関連付け情報の指定を行う必要がなく、また、グループ化の状態が画面に表示されるため、音声と静止画との関連付けがユーザーに瞬時に理解可能となる。【００６１】  ＜実施形態３＞
本発明の実施形態３に係るプログラムリスト再生方法は、基本的には前記実施形態２と同様であるが、グループ化された静止画の再生時間の設定方法に違いがある。以下、静止画の再生時間の設定方法についてのみ説明する。【００６２】  図１２は、本実施形態３のプログラム再生方法を用いた再生順序を示している。本実施形態３では、再生リストとして図８に示す再生リストを用いている。【００６３】  まず、グループ化された音声の再生時間の合計時間を算出し、この合計時間を同じグループ内にある静止画の個数で除算する。この除算した時間を静止画再生時間として設定し、グループ内にある静止画それぞれに対して再生時間を割り当てる。【００６４】  具体的に、図８に示す再生リストを再生する場合には、図１２に示すような再生結果となり、例えば、音声Ｅ、音声Ｆ、音声Ｇ、静止画Ｅ、静止画Ｆのグループ（図では右端に位置するグループ）では、音声Ｅ、音声Ｆ、音声Ｇの合計時間を静止画の個数（この例では“２”）で割った値が静止画Ｅ、静止画Ｆそれぞれの再生時間として設定される。【００６５】  以上のように、本実施形態３に係るプログラムリスト再生方法によれば、再生時間や再生開始タイミングをユーザーが指定しなくてもよいため、ユーザーの作業負担が軽減される。【００６６】  ＜実施形態４＞
本発明の実施形態４に係るプログラムリスト再生方法は、基本的には前記実施形態２又は３と同様であるが、動画データの取り扱いに違いがある。以下、動画データの取り扱い方法について説明する。【００６７】  図１６は、再生リストの作成及びグループ化の方法を示すフローチャート図である。図１６に示すように、ステップＳ１００２で、再生リストに追加するデータがあるかを判定する。ステップＳ１００２での判定が「ＹＥＳ」の場合には、ユーザーによる操作が再生リスト追加であると判定してステップＳ２００１に分岐し、ステップＳ１００１での判定が「ＮＯ」の場合には、ユーザーによるリスト操作が行われるまで待機する。【００６８】  ステップＳ２００１では、再生リストに追加するデータが動画データであるかを判定する。ステップＳ２００１での判定が「ＹＥＳ」の場合には、ステップＳ１００６に分岐し、ステップＳ１００６でグループを確定し、表示画面にグループが確定したことを表す表示を行う。ステップＳ２００１での判定が「ＮＯ」の場合には、ステップＳ１００３に分岐する。【００６９】  ステップＳ１００３で、再生リストにグループ化されていないデータが存在するかを判定する。ステップＳ１００３での判定が「ＹＥＳ」の場合には、ステップＳ１００４に分岐する。ステップＳ１００３での判定が「ＮＯ」の場合には、ステップＳ１００１へ戻る。【００７０】  ステップＳ１００４では、再生リスト内のグループ化されていないデータの先頭データと同じ種類のデータであるかを判定する。このとき、静止画データと動画データは同じ種類のデータであると判断するものとする。なお、以降のステップは、前記実施形態２又は３と同様であるため、説明を省略する。【００７１】  図１７は、動画データを含んだ再生リストの一例を示しており、前記再生リスト作成手順によりグループ化されている。図１８は、この再生リストを再生するときの再生順序を示している。【００７２】  このような再生リストに基づいて再生すると、動画データは単独で１グループとされていることから、動画部分は音声データと同時再生ではなく、単独で再生されるようになっている。【００７３】  以上のように、本実施形態４に係るプログラムリスト再生方法によれば、静止画データ、音声データ、及び動画データを混在させたプログラムリストを作成することができ、静止画データと音声データ、又は動画データと音声データを同時に再生させるための関連付け情報が不要となる。【００７４】  ＜実施形態５＞
本発明の実施形態５に係るプログラムリスト再生方法は、基本的には前記実施形態４と同様であるが、プログラムリストの取得方法に違いがある。以下、プログラムリストの取得方法について説明する。【００７５】  図１９は、再生リストの作成及びグループ化の方法を示すフローチャート図である。図１９に示すように、ステップＳ１００２で、再生リストに追加するデータがあるかを判定する。ステップＳ１００２での判定が「ＹＥＳ」の場合には、ユーザーによる操作が再生リスト追加であると判定してステップＳ２００１に分岐し、ステップＳ１００１での判定が「ＮＯ」の場合には、ユーザーによるリスト操作が行われるまで待機する。【００７６】  ステップＳ２００１では、再生リストに追加するデータが動画データであるかを判定する。ステップＳ２００１での判定が「ＹＥＳ」の場合には、ステップＳ３００１に分岐する。ステップＳ２００１での判定が「ＮＯ」の場合には、ステップＳ１００３に分岐する。【００７７】  ステップＳ３００１では、動画データに音声が含まれているかを判定する。ステップＳ３００１での判定が「ＹＥＳ」の場合には、ステップＳ１００６に分岐し、ステップＳ１００６でグループを確定し、表示画面にグループが確定したことを表す表示を行う。ステップＳ３００１での判定が「ＮＯ」の場合には、ステップＳ１００３に分岐する。【００７８】  ステップＳ１００３で、再生リストにグループ化されていないデータが存在するかを判定する。ステップＳ１００３での判定が「ＹＥＳ」の場合には、ステップＳ１００４に分岐する。ステップＳ１００３での判定が「ＮＯ」の場合には、ステップＳ１００１へ戻る。【００７９】  ステップＳ１００４では、再生リスト内のグループ化されていないデータの先頭データと同じ種類のデータであるかを判定する。このとき、静止画データと動画データは同じ種類のデータであると判断するものとする。なお、以降のステップは、前記実施形態４と同様であるため、説明を省略する。【００８０】  図２０は、動画データを含んだ再生リストの一例を示しており、前記再生リスト作成手順によりグループ化されている。図２１は、この再生リストを再生するときの再生順序を示している。【００８１】  このような再生リストに基づいて再生すると、音声無し動画データ（動画Ａ）は静止画データと同様に扱われ、音声無し動画データの再生時に音声データが同時再生されるようになっている。【００８２】  一方、音声有り動画データ（動画Ｂ）は、前記実施形態４と同様、単独で１グループとされていることから、動画部分は音声データと同時再生ではなく、単独で再生されるようになっている。【００８３】  図２２は、図２０の再生リストを再生するときの他の再生順序を示す図である。同一グループ内の音声、静止画、及び音声無し動画の再生は、以下のように行われる。【００８４】  具体的に、図２２の例では、動画Ａ、静止画Ｂ、静止画Ｃ、音声Ｂを含むグループにおいて、動画Ａ、静止画Ｂ、静止画Ｃの再生が完了するまでに音声Ｂの再生が完了してしまうが、動画Ａ、静止画Ｂ、静止画Ｃの再生が完了するまでの間、音声Ｂの再生リストの先頭から再生を再開するようになっている。そして、再生が完了していな���った動画及び静止画の再生リストの再生が完了したときに次のグループ（図２２では動画Ｂ）の再生を行う。【００８５】  以上のように、本実施形態５に係るプログラムリスト再生方法によれば、静止画データ、音声データ、及び動画データを混在させたプログラムリストを作成することができ、静止画データと音声データ、音声無し動画データと音声データを同時に再生させるための関連付け情報が不要となる。【００８６】  ＜実施形態６＞
本発明の本実施形態６に係るプログラムリスト再生方法では、プログラムリスト作成処理を必要とせずにプログラム再生を実現することを目的としている。以下、具体的なプログラムリスト再生方法について説明する。【００８７】  図２３は、記録媒体に記録されている音声データ及び静止画データの記録順序、及びそのグループ化の例を示している。図２３に示すように、音声データ及び静止画データのグループ化に際しては、記録媒体に記録されている記録順をプログラムリストとして読み込むようにしている。【００８８】  具体的には、再生リスト上に音声ｂ、静止画ｄ、静止画ｅ、音声ｈ、静止画ａ、音声ｃの順番にデータが並んで記録されていれば、この順番通りに、音声ｂ、静止画ｄ、静止画ｅがグループ化され、音声ｈ、静止画ａがグループ化され、音声ｃが単独でグループ化されるようになっている。【００８９】  図２４は、記録媒体に記録されている音声データ及び静止画データの記録順序、及びそのグループ化の他の例を示している。図２４に示すように、音声データ及び静止画データのグループ化に際しては、記録媒体に記録されている記録順序を名前順に並べ替えたリストをプログラムリストとして読み込むようにしている。【００９０】  具体的には、再生リスト上に音声ｂ、静止画ｄ、静止画ｅ、音声ｈ、静止画ａ、音声ｃの順番にデータが並んで記録されていれば、まず、データを名前順にソートして、静止画ａ、音声ｂ、音声ｃ、静止画ｄ、静止画ｅ、音声ｈの順番に並べ替える。そして、この順番通りに、静止画ａ、音声ｂ、音声ｃがグループ化され、静止画ｄ、静止画ｅ、音声ｈがグループ化されるようになっている。【００９１】  以上のように、本実施形態６に係るプログラムリスト再生方法によれば、ユーザーが予めプログラムリストを想定してデータ順又はデータ名を決定して記録媒体に記録しておけば、プログラムリスト作成処理を必要とせずにプログラム再生をすることが可能となる。
【産業上の利用可能性】
【００９２】  本発明の音声データ及び静止画データのプログラムリスト再生方法は、音声データと静止画データとの関連付け情報が付加されていない記録メディアにおける再生方法として有用である。また、記録媒体としては、音声データ及び静止画データが記録されていればそれ以外は特定されず、複数の記録媒体に跨った再生方法としても応用できる。
【図１】
2006059563.tif 000002
【図２】
2006059563.tif 000003
【図３】
2006059563.tif 000004
【図４】
2006059563.tif 000005
【図５】
2006059563.tif 000006
【図６】
2006059563.tif 000007
【図７】
2006059563.tif 000008
【図８】
2006059563.tif 000009
【図９】
2006059563.tif 000010
【図１０】
2006059563.tif 000011
【図１１】
2006059563.tif 000012
【図１２】
2006059563.tif 000013
【図１３】
2006059563.tif 000014
【図１４】
2006059563.tif 000015
【図１５】
2006059563.tif 000016
【図１６】
2006059563.tif 000017
【図１７】
2006059563.tif 000018
【図１８】
2006059563.tif 000019
【図１９】
2006059563.tif 000020
【図２０】
2006059563.tif 000021
【図２１】
2006059563.tif 000022
【図２２】
2006059563.tif 000023
【図２３】
2006059563.tif 000024
【図２４】
2006059563.tif 000025
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
記録媒体に記録された静止画データ及び音声データを所定の再生順序でそれぞれ再生するプログラムリスト再生方法であって、
前記静止画データと音声データとが混在した状態でその再生順序を指定した再生リストを作成する手順と、
前記再生リストの先頭から順に静止画データを抽出して静止画再生リストを作成する一方、該再生リストの先頭から順に音声データを抽出して音声再生リストを作成する手順と、
前記静止画再生リスト及び前記音声再生リストに基づく前記静止画データ及び音声データを非同期で再生する手順とを備えたことを特徴とするプログラムリスト再生方法。
【請求項２】
請求項１に記載されたプログラムリスト再生方法において、
前記静止画再生リスト又は前記音声再生リストのうち一方の再生リストが再生終了したときに、他方の再生リストが再生終了するまでの間、前記一方の再生リストの先頭からデータの再生を再開する手順をさらに備えたことを特徴とするプログラムリスト再生方法。
【請求項３】
記録媒体に記録された静止画データ及び音声データを所定の再生順序でそれぞれ再生するプログラムリスト再生方法であって、
前記静止画データと音声データとが混在した状態でその再生順序を指定した再生リストを作成する手順と、
前記再生リストにおいて静止画データ又は音声データのうち何れか一方から他方へと変化する時点を変化点として検出し、この変化点に基づいて該静止画データと音声データとをグループ化する手順と、
前記グループ化された静止画データ及び音声データのうち、同一グループ内にある静止画データ及び音声データを同時に再生する手順とを備えたことを特徴とするプログラムリスト再生方法。
【請求項４】
請求項３に記載されたプログラムリスト再生方法において、
前記グループ化された静止画データ及び音声データに関する基本情報に基づいて該静止画データの再生時間を設定する手順をさらに備えていることを特徴とするプログラムリスト再生方法。
【請求項５】
請求項３に記載されたプログラムリスト再生方法において、
前記グループ化された静止画データ及び音声データのうち、同一グループ内にある音声データの合計再生時間を算出する手順と、
前記同一グループ内にある静止画データの個数をカウントする手順と、
前記算出された音声データの合計再生時間を前記静止画データの個数で除算した値を該静止画データの再生時間として設定する手順とをさらに備えたことを特徴とするプログラムリスト再生方法。
【請求項６】
請求項３に記載されたプログラムリスト再生方法を用いて静止画データ及び音声データのグループ化が行われたときに、表示画面上に当該グループを表示する手順を備えたことを特徴とするプログラムリスト表示方法。
【請求項７】
請求項３に記載されたプログラムリスト再生方法において、
前記記録媒体には、動画データがさらに記録されており、
前記動画データのみを単独で１グループとしてグループ化する手順をさらに備えたことを特徴とするプログラムリスト再生方法。
【請求項８】
請求項７に記載されたプログラムリスト再生方法において、
前記動画データに音声が含まれているかを判断する手順と、
前記判断結果に基づいて、音声有り動画データを単独で１グループとしてグループ化する一方、音声無し動画データを静止画データと同じ分類としてグループ化する手順とをさらに備えたことを特徴とするプログラムリスト再生方法。
【請求項９】
請求項３に記載されたプログラムリスト再生方法において、
前記記録媒体に記録されている静止画データ及び音声データをその記録順に再生リストとして読み込む手順をさらに備えたことを特徴とするプログラムリスト再生方法。
【請求項１０】
請求項３に記載されたプログラムリスト再生方法において、
前記記録媒体に記録されている静止画データ及び音声データを名前順に並べ替えたリストを再生リストとして読み込む手順をさらに備えたことを特徴とするプログラムリスト再生方法。
【手続補正２】
【補正対象書類名】明細書
【補正対象項目名】全文
【補正方法】変更
【補正の内容】
【発明の詳細な説明】
【技術分野】
【０００１】
本発明は、記録媒体に記録された音声データ及び静止画データを同時に再生制御するための再生方法に関し、特に記録媒体に記録した音声データ及び静止画データの再生順序を指定する再生リストを作成することで音声データ及び静止画データの再生順序を決定する方法に関するものである。
【背景技術】
【０００２】
近年、民生の再生機器で再生する音声データや静止画データを記録した記録媒体は、専用の記録機器によって記録した記録媒体だけでなく、パソコンで記録した記録媒体をも再生対象とするようになってきている。
【０００３】
例えば、パソコンを用いてＣＤ−Ｒ／ＲＷ、ＤＶＤ−Ｒ／ＲＷ／ＲＡＭ等の記録媒体にＭＰ３等の音声ファイルやＪＰＥＧ等の静止画ファイルを記録し、ＤＶＤプレーヤ等の再生装置でこれら音声ファイルや静止画ファイルを再生することが可能である。
【０００４】
これらの再生装置では、通常再生だけではなくリピート、ランダム、プログラム等の再生機能が一般的に準備されており、音声データ及び静止画データ各々の再生に対して利用可能である。
【０００５】
以下、音声データ及び静止画データを再生するための再生装置について説明する。図１は音声静止画再生装置を示しており、１１は記録媒体、１２は記録媒体データ読み取り装置、１３はデータ再生装置、１４は制御装置、１５はデータ格納装置である。なお、図中の実線で描かれた矢印はデータの流れを示し、点線の矢印は制御の流れを示すものとする。
【０００６】
次に、上述のように構成された再生装置で音声データ及び静止画データを再生するための従来のプログラムリスト再生方法について説明する。
【０００７】
前記記録媒体１１には音声データ及び静止画データが記録されており、前記記録媒体データ読み取り装置１２にて音声データ及び静止画データの基本情報を読み出し、データ格納装置１５の音声静止画基本情報格納領域に保存する。この基本情報には、データ名、データの種類、アドレス、容量の情報が含まれる。
【０００８】
ユーザーは、前記基本情報のデータ名を確認しながら再生する順番にデータを並べて音声再生リストを作成し、データ格納装置１５の再生リスト格納領域に保存する。また、同様に静止画再生リストを作成してデータ格納装置１５の再生リスト格納領域に保存する。
【０００９】
そして、作成された再生リスト中の音声データを再生するときには、リストの先頭から順に音声データを再生していき、リストの最後の音声データまで再生する。また、作成された再生リスト中の静止画データを再生するときには、リストの先頭から順に静止画データを表示する。このとき、各静止画は静止画再生時間格納領域に格納している再生時間だけ画面上に表示するようにしている。
【００１０】
また、音声と静止画との再生順序が予め設定された状態で記録された記録媒体を前記音声静止画再生装置で再生する場合には、図２に示すように記録媒体２１に対して再生リストが記録されており、この再生リストをデータ格納装置１５の再生リスト格納領域に保存して、制御装置１４でこの再生リストに従って音声データ及び静止画データを再生制御するようにしている。
【００１１】
図３は再生リストの一例であり、音声データの再生順を示すリストと、静止画データの表示順、静止画データの表示開始タイミング及び表示終了タイミング等の静止画データと音声データとの関連付け情報を示すリストとから構成されている。
【００１２】
ここで、図３に示す再生リストを再生装置で再生した場合、図４に示すように音声は音声再生リスト順に再生され、静止画は音声とリンクした開始タイミング又は静止画の表示順に従って表示が開始される。そして、音声とリンクした終了タイミング又は静止画再生時間格納領域に保存している再生時間に基づいて表示が終了される。
【００１３】
このような再生リストと関連付け情報を持った再生方法としては、ＤＶＤ−Ａｕｄｉｏの静止画再生時のプレイリストによる再生方法が該当する（例えば、特許文献１参照）。
【００１４】
具体的に、図１４は、図１３に示す再生リストを再生した場合の再生順の一例を示す図である。図１４に示す例では、図１３に示す再生リストにおいて静止画データと音声データとが混在した状態になっているが、この静止画データ、音声データを区別することなく順番通りに再生するようにしている。
【００１５】
また、図１５は、図１３に示す再生リストを再生した場合の再生順の他の一例を示す図である。図１５に示す例では、静止画データの再生から音声データの再生に切り替わるタイミングで静止画データの表示消去を行わないようにしている。
【特許文献１】特開２０００−３３３１２６号公報
【発明の開示】
【発明が解決しようとする課題】
【００１６】
しかしながら、従来の音声データ及び静止画データを同時再生する方法では、音声データ及び静止画データを同時に再生する再生リストを作成するために、再生開始タイミングや再生時間等の音声データと静止画データとの関連付け情報を再生リストに付加する必要がある。再生リストにおいてこのような関連付け情報が予め準備されていない場合には、ユーザーがこれらの関連付け情報を指定する必要がある。
【００１７】
しかし、音声データと静止画データとを関連付けした再生リストを作成することは複雑で手間のかかる作業であり、ユーザーにとって負担となっていた。また、一般に流通している再生装置では、音声データ又は静止画データのどちらか一方のみの再生リストしか作成できない機種が多いという問題がある。
【００１８】
本発明は、かかる点に鑑みてなされたものであり、その目的とするところは、音声データと静止画データとの関連付け情報をユーザーが付加することを不要とし、ユーザーが作成した音声データと静止画データとを指定した再生リストから音声データと静止画データとの関連付けを持った再生を行うための再生制御方法を提供することにある。
【課題を解決するための手段】
【００１９】
前記目的を達成するため、本発明では、音声データ及び静止画データの２つのプログラムリストを１つのリストとして、音声データ及び静止画データの順序によって音声データと静止画データとの関連付けを持たせることにより音声データと静止画データとの同時再生を実現するようにした。
【００２０】
本発明は、記録媒体に記録された静止画データ及び音声データを所定の再生順序でそれぞれ再生するプログラムリスト再生方法であって、
前記静止画データと音声データとが混在した状態でその再生順序を指定した再生リストを作成する手順と、
前記再生リストの先頭から順に静止画データを抽出して静止画再生リストを作成する一方、該再生リストの先頭から順に音声データを抽出して音声再生リストを作成する手順と、
前記静止画再生リスト及び前記音声再生リストに基づく前記静止画データ及び音声データを非同期で再生する手順とを備えたことを特徴とするプログラムリスト再生方法である。
【００２１】
従って、本発明によれば、音声と静止画を同時に再生するための再生時間や再生開始タイミング等の情報が不要となる。
【００２２】
また、本発明は、前記静止画再生リスト又は前記音声再生リストのうち一方の再生リストが再生終了したときに、他方の再生リストが再生終了するまでの間、前記一方の再生リストの先頭からデータの再生を再開する手順をさらに備えたことを特徴とするものであってもよい。
【００２３】
従って、本発明によれば、音声と静止画を同時に再生するための関連付け情報が不要となる。
【００２４】
また、本発明は、記録媒体に記録された静止画データ及び音声データを所定の再生順序でそれぞれ再生するプログラムリスト再生方法であって、
前記静止画データと音声データとが混在した状態でその再生順序を指定した再生リストを作成する手順と、
前記再生リストにおいて静止画データ又は音声データのうち何れか一方から他方へと変化する時点を変化点として検出し、この変化点に基づいて該静止画データと音声データとをグループ化する手順と、
前記グループ化された静止画データ及び音声データのうち、同一グループ内にある静止画データ及び音声データを同時に再生する手順とを備えたことを特徴とするプログラムリスト再生方法である。
【００２５】
従って、本発明によれば、音声と静止画を同時に再生するための関連付け情報が不要となる。
【００２６】
また、本発明は、前記グループ化された静止画データ及び音声データに関する基本情報に基づいて該静止画データの再生時間を設定する手順をさらに備えていることを特徴とするものであってもよい。
【００２７】
従って、本発明によれば、再生時間や再生開始タイミングをユーザーが指定しなくてもよくなる。
【００２８】
また、本発明は、前記グループ化された静止画データ及び音声データのうち、同一グループ内にある音声データの合計再生時間を算出する手順と、
前記同一グループ内にある静止画データの個数をカウントする手順と、
前記算出された音声データの合計再生時間を前記静止画データの個数で除算した値を該静止画データの再生時間として設定する手順とをさらに備えたことを特徴とするものであってもよい。
【００２９】
従って、本発明によれば、再生時間や再生開始タイミングをユーザーが指定しなくてもよくなる。
【００３０】
また、本発明は、前記プログラムリスト再生方法を用いて静止画データ及び音声データのグループ化が行われたときに、表示画面上に当該グループを表示する手順を備えたことを特徴とするプログラムリスト表示方法である。
【００３１】
従って、本発明によれば、ユーザーが時間のかかる複雑な関連付け情報の指定を行う必要がなく、音声と静止画との関連付けがユーザーに瞬時に理解可能となる。
【００３２】
また、本発明は、前記記録媒体には、動画データがさらに記録されており、
前記動画データのみを単独で１グループとしてグループ化する手順をさらに備えたことを特徴とするプログラムリスト再生方法である。
【００３３】
従って、本発明によれば、静止画データ、音声データ、及び動画データを混在させたプログラムリストを作成することができ、静止画データと音声データ、又は動画データと音声データを同時に再生させるための関連付け情報が不要となる。
【００３４】
また、本発明は、前記動画データに音声が含まれているかを判断する手順と、
前記判断結果に基づいて、音声有り動画データを単独で１グループとしてグループ化する一方、音声無し動画データを静止画データと同じ分類としてグループ化する手順とをさらに備えたことを特徴とするものであってもよい。
【００３５】
従って、本発明によれば、静止画データ、音声データ、及び動画データを混在させたプログラムリストを作成することができ、静止画データと音声データ、音声無し動画データと音声データを同時に再生させるための関連付け情報が不要となる。
【００３６】
また、本発明は、前記記録媒体に記録されている静止画データ及び音声データをその記録順に再生リストとして読み込む手順をさらに備えたことを特徴とするものであってもよい。
【００３７】
従って、本発明によれば、ユーザーが予めプログラムリストを想定してデータ順を決定して記録媒体にデータを記録しておけば、プログラムリスト作成処理を必要とせずにプログラム再生をすることが可能となる。
【００３８】
また、本発明は、前記記録媒体に記録されている静止画データ及び音声データを名前順に並べ替えたリストを再生リストとして読み込む手順をさらに備えたことを特徴とするものであってもよい。
【００３９】
従って、本発明によれば、ユーザーが予めプログラムリストを想定してデータ名を付けて記録媒体にデータを記録しておけば、プログラムリスト作成処理を必要とせずにプログラム再生をすることが可能となる。
【発明の効果】
【００４０】
本発明の音声データと静止画データのプログラムリスト再生方法によれば、１つの再生リストを作成するだけで静止画と音声との関連付けを持たせた再生が可能となり、プログラムリスト再生の操作性が向上するという効果が得られる。
【発明を実施するための最良の形態】
【００４１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００４２】
＜実施形態１＞
図５は、本発明の実施形態１に係るプログラムリスト再生方法により再生するための音声及び静止画データの再生リストである。このような再生リストの作成及び再生は、図１に示すような音声静止画再生装置で行うものとする。
【００４３】
まず、記録媒体１１に記録されている音声データ及び静止画データをプログラムリスト再生する場合、ユーザーは、記録媒体１１に記録されている複数の音声データ及び静止画データの中から再生対象とする音声データ及び静止画データをリモコン操作によって選択する。
【００４４】
前記選択された音声データ及び静止画データは、選択指定した順に再生リストに追加される。再生リストの作成が完了した後、ユーザーの指示により再生リストの再生を開始する。
【００４５】
図５に示すように、再生リストの音声及び静止画は、音声のみのリスト又は静止画のみのリストとして非同期に再生される。この場合における再生順序を図６に示す。なお、静止画の再生時間はデータ格納装置１５（図１参照）に保存されている静止画再生時間に基づいて設定されるものとする。
【００４６】
ここで、音声又は静止画のうちどちらか一方が先に再生リスト（図６の例では静止画）の再生を完了した場合には、図７に示すように、他方の再生リスト（図６の例では音声）の再生が完了するまでの間、再生完了した静止画の再生リストの先頭から再生を再開するようにしている。そして、再生が完了していなかった音声の再生リストの再生が完了したときに全ての再生を停止する。
【００４７】
以上のように、本実施形態１に係るプログラムリスト再生方法によれば、音声と静止画を同時に再生するための再生時間や再生開始タイミング等の情報が不要となり、ユーザーの負担が軽減される。
【００４８】
＜実施形態２＞
次に、本発明の実施形態２に係るプログラムリスト再生方法について説明する。本実施形態２では、ユーザーがリモコン操作によって音声データ及び静止画データを選択して再生リストに順番に追加した後、再生リストにおける音声データと静止画データとの変化点を利用して音声データ及び静止画データのグループ化を行う点に特徴がある。以下、この特徴部分について説明する。
【００４９】
図１０は、再生リストの作成及びグループ化の方法を示すフローチャート図である。図１０に示すように、ステップＳ１００１で、ユーザーにより再生リストへの追加又は再生リスト作成終了等のリスト操作が行われたかを判定する。ステップＳ１００１での判定が「ＹＥＳ」の場合には、ステップＳ１００２に分岐し、ステップＳ１００１での判定が「ＮＯ」の場合には、ユーザーによるリスト操作が行われるまで待機する。
【００５０】
ステップＳ１００２で、再生リストに追加するデータがあるかを判定する。ステップＳ１００２での判定が「ＹＥＳ」の場合には、ユーザーによる操作が再生リスト追加であると判定してステップＳ１００３に分岐する。ステップＳ１００２での判定が「ＮＯ」の場合には、ユーザーによる操作が再生リスト作成の終了であると判定してステップＳ１００７に分岐する。
【００５１】
ステップＳ１００３で、再生リストにグループ化されていないデータが存在するかを判定する。ステップＳ１００３での判定が「ＹＥＳ」の場合には、ステップＳ１００４に分岐する。ステップＳ１００３での判定が「ＮＯ」の場合には、ステップＳ１００１へ戻る。
【００５２】
ステップＳ１００４で、再生リスト内のグループ化されていないデータの先頭データと同じ種類のデータであるかを判定する。ステップＳ１００４での判定が「ＹＥＳ」の場合には、ステップＳ１００５に分岐する。ステップＳ１００４での判定が「ＮＯ」の場合には、ステップＳ１００１へ戻る。
【００５３】
ステップＳ１００５で、追加されたデータの１つ前のデータが異なる種類のデータであるかを判定する。ステップＳ１００５での判定が「ＹＥＳ」の場合には、その時点をデータの変化点とみなしてステップＳ１００６に分岐し、ステップＳ１００６でグループを確定し、表示画面にグループが確定したことを表す表示を行う。ステップＳ１００５での判定が「ＮＯ」の場合には、ステップＳ１００１へ戻る。
【００５４】
ステップ１００７で、リストにグループ化されていないデータが存在するかを判定する。ステップＳ１００７での判定が「ＹＥＳ」の場合には、ステップＳ１００８に分岐して、ステップＳ１００８でグループを確定し、表示画面にグループが確定したことを表す表示を行い、ステップＳ１００９へ進む。ステップＳ１００７での判定が「ＮＯ」の場合には、ステップＳ１００９に分岐する。そして、ステップＳ１００９で、リストを確定したことを示す表示を画面上に表示する。
【００５５】
図１１は、グループが確定したことを表す表示例である。選択対象データから静止画Ｂを追加することによって、すでに再生リストに追加されている静止画Ａと音声Ａがグループ化され再生リストを表示している表示領域内に、グループ化されたデータを表示するグループ表示領域が生成され、そのグループ表示領域中にグループ化されたデータが表示される（図８参照）。
【００５６】
図８は再生リストの一例を示しており、図９はこの再生リストを再生するときの再生順序を示している。なお、静止画の再生時間はデータ格納装置１５（図１参照）に保存されている静止画再生時間に基づいて設定される。
【００５７】
このような再生リストにおける同一グループ内の音声及び静止画の再生は、音声又は静止画のどちらか一方が先に再生リスト（図９の例では静止画）の再生を完了した場合、他方の再生リスト（図９の例では音声）の再生が完了するまでの間、静止画の再生リストの先頭から再生を再開する。そして、再生が完了していなかった音声の再生リストの再生が完了したときに次のグループの再生を行う。次のグループがない場合には再生を終了する。
【００５８】
以上のように、本実施形態２に係るプログラムリスト再生方法によれば、ユーザーが時間のかかる複雑な関連付け情報の指定を行う必要がなく、また、グループ化の状態が画面に表示されるため、音声と静止画との関連付けがユーザーに瞬時に理解可能となる。
【００５９】
＜実施形態３＞
本発明の実施形態３に係るプログラムリスト再生方法は、基本的には前記実施形態２と同様であるが、グループ化された静止画の再生時間の設定方法に違いがある。以下、静止画の再生時間の設定方法についてのみ説明する。
【００６０】
図１２は、本実施形態３のプログラム再生方法を用いた再生順序を示している。本実施形態３では、再生リストとして図８に示す再生リストを用いている。
【００６１】
まず、グループ化された音声の再生時間の合計時間を算出し、この合計時間を同じグループ内にある静止画の個数で除算する。この除算した時間を静止画再生時間として設定し、グループ内にある静止画それぞれに対して再生時間を割り当てる。
【００６２】
具体的に、図８に示す再生リストを再生する場合には、図１２に示すような再生結果となり、例えば、音声Ｅ、音声Ｆ、音声Ｇ、静止画Ｅ、静止画Ｆのグループ（図では右端に位置するグループ）では、音声Ｅ、音声Ｆ、音声Ｇの合計時間を静止画の個数（この例では“２”）で割った値が静止画Ｅ、静止画Ｆそれぞれの再生時間として設定される。
【００６３】
以上のように、本実施形態３に係るプログラムリスト再生方法によれば、再生時間や再生開始タイミングをユーザーが指定しなくてもよいため、ユーザーの作業負担が軽減される。
【００６４】
＜実施形態４＞
本発明の実施形態４に係るプログラムリスト再生方法は、基本的には前記実施形態２又は３と同様であるが、動画データの取り扱いに違いがある。以下、動画データの取り扱い方法について説明する。
【００６５】
図１６は、再生リストの作成及びグループ化の方法を示すフローチャート図である。図１６に示すように、ステップＳ１００２で、再生リストに追加するデータがあるかを判定する。ステップＳ１００２での判定が「ＹＥＳ」の場合には、ユーザーによる操作が再生リスト追加であると判定してステップＳ２００１に分岐し、ステップＳ１００１での判定が「ＮＯ」の場合には、ユーザーによるリスト操作が行われるまで待機する。
【００６６】
ステップＳ２００１では、再生リストに追加するデータが動画データであるかを判定する。ステップＳ２００１での判定が「ＹＥＳ」の場合には、ステップＳ１００６に分岐し、ステップＳ１００６でグループを確定し、表示画面にグループが確定したことを表す表示を行う。ステップＳ２００１での判定が「ＮＯ」の場合には、ステップＳ１００３に分岐する。
【００６７】
ステップＳ１００３で、再生リストにグループ化されていないデータが存在するかを判定する。ステップＳ１００３での判定が「ＹＥＳ」の場合には、ステップＳ１００４に分岐する。ステップＳ１００３での判定が「ＮＯ」の場合には、ステップＳ１００１へ戻る。
【００６８】
ステップＳ１００４では、再生リスト内のグループ化されていないデータの先頭データと同じ種類のデータであるかを判定する。このとき、静止画データと動画データは同じ種類のデータであると判断するものとする。なお、以降のステップは、前記実施形態２又は３と同様であるため、説明を省略する。
【００６９】
図１７は、動画データを含んだ再生リストの一例を示しており、前記再生リスト作成手順によりグループ化されている。図１８は、この再生リストを再生するときの再生順序を示している。
【００７０】
このような再生リストに基づいて再生すると、動画データは単独で１グループとされていることから、動画部分は音声データと同時再生ではなく、単独で再生されるようになっている。
【００７１】
以上のように、本実施形態４に係るプログラムリスト再生方法によれば、静止画データ、音声データ、及び動画データを混在させたプログラムリストを作成することができ、静止画データと音声データ、又は動画データと音声データを同時に再生させるための関連付け情報が不要となる。
【００７２】
＜実施形態５＞
本発明の実施形態５に係るプログラムリスト再生方法は、基本的には前記実施形態４と同様であるが、プログラムリストの取得方法に違いがある。以下、プログラムリストの取得方法について説明する。
【００７３】
図１９は、再生リストの作成及びグループ化の方法を示すフローチャート図である。図１９に示すように、ステップＳ１００２で、再生リストに追加するデータがあるかを判定する。ステップＳ１００２での判定が「ＹＥＳ」の場合には、ユーザーによる操作が再生リスト追加であると判定してステップＳ２００１に分岐し、ステップＳ１００１での判定が「ＮＯ」の場合には、ユーザーによるリスト操作が行われるまで待機する。
【００７４】
ステップＳ２００１では、再生リストに追加するデータが動画データであるかを判定する。ステップＳ２００１での判定が「ＹＥＳ」の場合には、ステップＳ３００１に分岐する。ステップＳ２００１での判定が「ＮＯ」の場合には、ステップＳ１００３に分岐する。
【００７５】
ステップＳ３００１では、動画データに音声が含まれているかを判定する。ステップＳ３００１での判定が「ＹＥＳ」の場合には、ステップＳ１００６に分岐し、ステップＳ１００６でグループを確定し、表示画面にグループが確定したことを表す表示を行う。ステップＳ３００１での判定が「ＮＯ」の場合には、ステップＳ１００３に分岐する。
【００７６】
ステップＳ１００３で、再生リストにグループ化されていないデータが存在するかを判定する。ステップＳ１００３での判定が「ＹＥＳ」の場合には、ステップＳ１００４に分岐する。ステップＳ１００３での判定が「ＮＯ」の場合には、ステップＳ１００１へ戻る。
【００７７】
ステップＳ１００４では、再生リスト内のグループ化されていないデータの先頭データと同じ種類のデータであるかを判定する。このとき、静止画データと動画データは同じ種類のデータであると判断するものとする。なお、以降のステップは、前記実施形態４と同様であるため、説明を省略する。
【００７８】
図２０は、動画データを含んだ再生リストの一例を示しており、前記再生リスト作成手順によりグループ化されている。図２１は、この再生リストを再生するときの再生順序を示している。
【００７９】
このような再生リストに基づいて再生すると、音声無し動画データ（動画Ａ）は静止画データと同様に扱われ、音声無し動画データの再生時に音声データが同時再生されるようになっている。
【００８０】
一方、音声有り動画データ（動画Ｂ）は、前記実施形態４と同様、単独で１グループとされていることから、動画部分は音声データと同時再生ではなく、単独で再生されるようになっている。
【００８１】
図２２は、図２０の再生リストを再生するときの他の再生順序を示す図である。同一グループ内の音声、静止画、及び音声無し動画の再生は、以下のように行われる。
【００８２】
具体的に、図２２の例では、動画Ａ、静止画Ｂ、静止画Ｃ、音声Ｂを含むグループにおいて、動画Ａ、静止画Ｂ、静止画Ｃの再生が完了するまでに音声Ｂの再生が完了してしまうが、動画Ａ、静止画Ｂ、静止画Ｃの再生が完了するまでの間、音声Ｂの再生リストの先頭から再生を再開するようになっている。そして、再生が完了していなかった動画及び静止画の再生リストの再生が完了したときに次のグループ（図２２では動画Ｂ）の再生を行う。
【００８３】
以上のように、本実施形態５に係るプログラムリスト再生方法によれば、静止画データ、音声データ、及び動画データを混在させたプログラムリストを作成することができ、静止画データと音声データ、音声無し動画データと音声データを同時に再生させるための関連付け情報が不要となる。
【００８４】
＜実施形態６＞
本発明の本実施形態６に係るプログラムリスト再生方法では、プログラムリスト作成処理を必要とせずにプログラム再生を実現することを目的としている。以下、具体的なプログラムリスト再生方法について説明する。
【００８５】
図２３は、記録媒体に記録されている音声データ及び静止画データの記録順序、及びそのグループ化の例を示している。図２３に示すように、音声データ及び静止画データのグループ化に際しては、記録媒体に記録されている記録順をプログラムリストとして読み込むようにしている。
【００８６】
具体的には、再生リスト上に音声ｂ、静止画ｄ、静止画ｅ、音声ｈ、静止画ａ、音声ｃの順番にデータが並んで記録されていれば、この順番通りに、音声ｂ、静止画ｄ、静止画ｅがグループ化され、音声ｈ、静止画ａがグループ化され、音声ｃが単独でグループ化されるようになっている。
【００８７】
図２４は、記録媒体に記録されている音声データ及び静止画データの記録順序、及びそのグループ化の他の例を示している。図２４に示すように、音声データ及び静止画データのグループ化に際しては、記録媒体に記録されている記録順序を名前順に並べ替えたリストをプログラムリストとして読み込むようにしている。
【００８８】
具体的には、再生リスト上に音声ｂ、静止画ｄ、静止画ｅ、音声ｈ、静止画ａ、音声ｃの順番にデータが並んで記録されていれば、まず、データを名前順にソートして、静止画ａ、音声ｂ、音声ｃ、静止画ｄ、静止画ｅ、音声ｈの順番に並べ替える。そして、この順番通りに、静止画ａ、音声ｂ、音声ｃがグループ化され、静止画ｄ、静止画ｅ、音声ｈがグループ化されるようになっている。
【００８９】
以上のように、本実施形態６に係るプログラムリスト再生方法によれば、ユーザーが予めプログラムリストを想定してデータ順又はデータ名を決定して記録媒体に記録しておけば、プログラムリスト作成処理を必要とせずにプログラム再生をすることが可能となる。
【産業上の利用可能性】
【００９０】
本発明の音声データ及び静止画データのプログラムリスト再生方法は、音声データと静止画データとの関連付け情報が付加されていない記録メディアにおける再生方法として有用である。また、記録媒体としては、音声データ及び静止画データが記録されていればそれ以外は特定されず、複数の記録媒体に跨った再生方法としても応用できる。
【図面の簡単な説明】
【００９１】
【図１】音声データ及び静止画データを再生する再生装置の構成図である。
【図２】音声データ、静止画データ及び再生リストが記録された記録媒体を示す図である。
【図３】従来の音声データ及び静止画データの再生リスト例である。
【図４】従来の音声データ及び静止画データの再生リストを再生したときの再生例である。
【図５】本発明の実施形態１における音声データ及び静止画データの再生リスト例である。
【図６】本実施形態１における音声データ及び静止画データの再生例である。
【図７】本実施形態１における音声データ及び静止画データの再生例である。
【図８】本実施形態２における音声データ及び静止画データの再生リスト例である。
【図９】本実施形態２における音声データ及び静止画データの再生例である。
【図１０】再生リストの作成手順を示すフローチャート図である。
【図１１】再生リスト作成画面である。
【図１２】本実施形態３における音声データ及び静止画データの再生例である。
【図１３】従来の音声データ及び静止画データの再生リスト例である。
【図１４】従来の音声データ及び静止画データの再生リストを再生したときの再生例である。
【図１５】従来の音声データ及び静止画データの再生リストを再生したときの他の再生例である。
【図１６】動画データの判別処理を含んだ再生リストの作成手順を示すフローチャート図である。
【図１７】本実施形態４における動画データを含んだ再生リスト及びそのグループ化の例である。
【図１８】本実施形態４における動画データを含んだ再生リストの再生例である。
【図１９】音声有り又は音声無し動画データの判別処理を含んだ再生リストの作成手順を示すフローチャート図である。
【図２０】本実施形態５における動画データを含んだ再生リスト及びそのグループ化の例である。
【図２１】本実施形態５における動画データを含んだ再生リストの再生例である。
【図２２】本実施形態５における動画データを含んだ再生リストの他の再生例である。
【図２３】本実施形態６において再生リストを読み込んでグループ化した例である。
【図２４】本実施形態６における再生リストを読み込んでグループ化した他の例である。
【符号の説明】
【００９２】
１１    記録媒体
１２    記録媒体データ読み取り装置
１３    データ再生装置
１４    制御装置
１５    データ格納装置
【手続補正３】
【補正対象書類名】図面
【補正対象項目名】全図
【補正方法】変更
【補正の内容】
【図１】
2006059563.tif 000026
【図２】
2006059563.tif 000027
【図３】
2006059563.tif 000028
【図４】
2006059563.tif 000029
【図５】
2006059563.tif 000030
【図６】
2006059563.tif 000031
【図７】
2006059563.tif 000032
【図８】
2006059563.tif 000033
【図９】
2006059563.tif 000034
【図１０】
2006059563.tif 000035
【図１１】
2006059563.tif 000036
【図１２】
2006059563.tif 000037
【図１３】
2006059563.tif 000038
【図１４】
2006059563.tif 000039
【図１５】
2006059563.tif 000040
【図１６】
2006059563.tif 000041
【図１７】
2006059563.tif 000042
【図１９】
2006059563.tif 000043
【図２０】
2006059563.tif 000044
【図２３】
2006059563.tif 000045
【図２４】
2006059563.tif 000046
【図１８】
2006059563.tif 000047
【図２１】
2006059563.tif 000048
【図２２】
2006059563.tif 000049
【国際調査報告】
2006059563.tif 000050
2006059563.tif 000051
2006059563.tif 000052
2006059563.tif 000053
2006059563.tif 000054